(57)【特許請求の範囲】
【請求項１】
プリフォームの口部の開口面に対向する方向からプリフォームの少なくとも口部の内外面に紫外線を含む光を照射する照射工程と、少なくとも過酸化水素を含んでなる殺菌剤をガス化させ、当該殺菌剤のガスを前記プリフォームに吹き付ける殺菌工程を備え、照射工程の後に殺菌工程を行うことを特徴とするプリフォームの殺菌方法。
【請求項２】
請求項１に記載のプリフォームの殺菌方法において、
前記紫外線を含む光がキセノンフラッシュランプにより照射される光であることを特徴とするプリフォームの殺菌方法。
【請求項３】
請求項１又は請求項２のいずれかに記載のプリフォームの殺菌方法において、
前記紫外線を含む光を前記プリフォームの前記口部に集中して照射することを特徴とするプリフォームの殺菌方法。
【請求項４】
請求項１乃至請求項３のいずれか１項に記載のプリフォームの殺菌方法において、
前記殺菌剤のガスは、前記殺菌剤を気化部内に噴霧してガス化させ、前記殺菌剤のガスを前記気化部のノズルから前記プリフォームに向かって吹き付けることを特徴とするプリフォームの殺菌方法。
【請求項５】
請求項４に記載のプリフォームの殺菌方法において、
一個又は複数個の前記ノズルを前記プリフォームの走行路に対向させ、前記ノズルから前記殺菌剤のガスを前記プリフォームに向かって吹き付けることを特徴とするプリフォームの殺菌方法。
【請求項６】
請求項４又は請求項５に記載のプリフォームの殺菌方法において、
前記殺菌剤のガスを前記ノズル内で複数の流れに分け、一方の流れを前記プリフォームの口部に向かわせ、他方の流れを前記プリフォームの外面へと向かわせることを特徴とするプリフォームの殺菌方法。
【請求項７】
請求項１乃至請求項６のいずれか１項に記載のプリフォームの殺菌方法において、
前記殺菌剤を前記プリフォームに吹き付けた後、当該プリフォームにおける前記殺菌剤の吹き付け部にエアを吹き付けることを特徴とするプリフォームの殺菌方法。
【請求項８】
請求項７に記載のプリフォームの殺菌方法において、
前記エアがホットエアであることを特徴とするプリフォームの殺菌方法。
【請求項９】
プリフォームの供給からボトルの成形に至るまで、前記プリフォームを走行させる走行手段と、前記プリフォームの口部の開口面に対向する方向から紫外線を含む光を前記プリフォームの少なくとも口部の内外面に照射するランプと、当該走行手段において殺菌剤を前記プリフォームに向かって噴射するノズルとが設けられ、前記ランプの下流に前記ノズルが設けられたことを特徴とするプリフォームの殺菌装置。
【請求項１０】
請求項９に記載のプリフォームの殺菌装置において、
前記紫外線を含む光を照射する前記ランプがキセノンフラッシュランプであることを特徴とするプリフォームの殺菌装置。
【請求項１１】
請求項９又は請求項１０のいずれかに記載のプリフォームの殺菌装置において、
前記紫外線を含む光を照射する前記ランプの前記プリフォームの反対側に光を反射する反射板を設けてなることを特徴とするプリフォームの殺菌装置。
【請求項１２】
請求項１１に記載のプリフォームの殺菌装置において、前記反射板が前記プリフォームの前記口部を覆うように設けてなることを特徴とするプリフォームの殺菌装置。
【請求項１３】
請求項９乃至請求項１２のいずれか１項に記載のプリフォームの殺菌装置において
前記ノズルは、前記殺菌剤を噴霧することによってガス化する気化部の先端部に配置されたことを特徴とするプリフォームの殺菌装置。
【請求項１４】
請求項９乃至請求項１３のいずれか１項に記載のプリフォームの殺菌装置において、
前記殺菌剤のガスを送る前記ノズルが複数の管路に分けられ、一方の管路の吐出口が前記プリフォームの開口に対峙させられ、他方の管路は前記プリフォームの外面へと伸ばされて、その吐出口が前記プリフォームの外面に対峙させられたことを特徴とするプリフォームの殺菌装置。
【請求項１５】
請求項９乃至請求項１４のいずれか１項に記載のプリフォームの殺菌装置において
エアを前記プリフォームに吹き付けるエアノズルが、前記ノズルに対して、前記走行手段における上流側から下流側に向かって、順に設けられたことを特徴とするプリフォームの殺菌装置。
【請求項１６】
請求項１５に記載のプリフォームの殺菌装置において、
前記エアノズルが、前記エアを前記プリフォームの開口に向かって吹き出すスリット状の吹出口を有し、当該吹出口が前記プリフォームの走行方向に沿って伸びていることを特徴とするプリフォームの殺菌装置。
【発明の詳細な説明】
【技術分野】
【０００１】
本発明は、プリフォームの殺菌方法及び装置に関する。
【背景技術】
【０００２】
従来、プリフォームを連続走行させながら、プリフォームに殺菌剤を塗布し、そのままプリフォームを加熱炉内に導入し、加熱炉内でプリフォームを容器に成形するための温度まで加熱し、この加熱によってプリフォームに塗布した殺菌剤の乾燥、活性化を同時に行なう殺菌方法が提案されている（特許文献１，２，３）。ここで使用される殺菌剤は過酸化水素を含むものである。
【０００３】
また、プリフォームを予熱し、予熱したプリフォームに過酸化水素ミスト又はガスを吹き付け、さらにプリフォームを成形温度まで加熱し、成形温度に達したプリフォームを同じく連続走行するブロー成形型内でボトルに成形し、ブロー成形型からボトルを取り出し、その後、ボトルに飲料を充填して蓋で密封する飲料充填方法が提案されている（例えば、特許文献４、５参照）。
【０００４】
一方、プリフォームの殺菌について、過酸化水素を使用せず、光により殺菌することも提案されている（特許文献６参照）。
【先行技術文献】
【特許文献】
【０００５】
【特許文献１】特表２００１−５１０１０４号公報
【特許文献２】特開２００８−１８３８９９号公報
【特許文献３】特表２００８−５４６６０５号公報
【特許文献４】特開２０１３−３５５６１号公報
【特許文献５】特開２０１３−３５５６２号公報
【特許文献６】特開２０１６−５５９１５号公報
【発明の概要】
【発明が解決しようとする課題】
【０００６】
上記のプリフォームを殺菌する従来技術は、ボトル成形前のプリフォームの段階で殺菌処理しようというものである。ここで殺菌処理するためにプリフォームに付着させた過酸化水素は、加熱炉内での加熱などにより分解又は揮散する。しかし、その一部はプリフォームに残留する。その後プリフォームはブロー成形されてボトルとなるが、この工程でさらに過酸化水素は低減されるものの、ボトル内面に残留する場合もある。さらに、飲料を充填する前にボトルを無菌水や無菌エアによりリンスすることも行われ、この工程により残留過酸化水素はさらに低減する。しかし、ボトル内に僅かに残留した過酸化水素の一部が、ボトルに充填された飲料に移行するおそれがある。このため、プリフォームを殺菌するに際してはプリフォームに残留する過酸化水素をできる限り低減する必要がある。
【０００７】
殺菌されたプリフォームはボトルに成形され、当該ボトルに無菌雰囲気下で殺菌された飲料が充填されて製品となる。しかし、ボトルへの成形までに、プリフォームの口部が収縮や変形を起こすと、製品に外部より菌が侵入し、飲料の無菌性が損なわれる可能性がある。そのため、プリフォームの口部の収縮や変形を防ぐために、口部の温度は７０℃以下に保持されなければならない。このように口部への加熱が制限されることから、口部を殺菌するために、プリフォームの胴部や底部を殺菌できる過酸化水素の量を超えて、プリフォーム全体に過度の過酸化水素を含む殺菌剤を塗布又は噴霧しなければならない。結果として、過酸化水素の残留が多くなってしまうこととなる。
【０００８】
また、過酸化水素を使用しないプリフォーム殺菌の方法も提案されているが、殺菌が不十分である。過酸化水素を使用した高い殺菌性能を有し、残留過酸化水素の少ないプリフォームの殺菌方法が求められている。
【０００９】
本発明は上記の課題を解決するためになされたものであって、プリフォーム殺菌において残留する過酸化水素を低減することができるプリフォームの殺菌方法及び装置を提供することを目的とする。
【課題を解決するための手段】
【００１０】
本発明に係るプリフォームの殺菌方法は、プリフォームの口部の開口面に対向する方向からプリフォームの少なくとも口部の内外面に紫外線を含む光を照射する照射工程と、少なくとも過酸化水素を含んでなる殺菌剤をガス化させ、当該殺菌剤のガスを前記プリフォームに吹き付ける殺菌工程を備え、照射工程の後に殺菌工程を行うことを特徴とする。
【００１１】
また、本発明に係るプリフォームの殺菌方法において、前記紫外線を含む光が、キセノンフラッシュランプにより照射される光であると好適である。
【００１２】
また、本発明に係るプリフォームの殺菌方法において、前記紫外線を含む光が、前記プリフォームの前記口部に集中して照射されると好適である。
【００１３】
また、本発明に係るプリフォームの殺菌方法において、前記殺菌剤のガスを、前記殺菌剤を気化部内に噴霧してガス化させ、前記殺菌剤のガスを前記気化部のノズルから前記プリフォームに向かって吹き付けると好適である。
【００１４】
また、本発明に係るプリフォームの殺菌方法において、一個又は複数個の前記ノズルを前記プリフォームの走行路に対向させ、前記ノズルから前記殺菌剤のガスを前記プリフォームに向かって吹き付けると好適である。
【００１５】
また、本発明に係るプリフォームの殺菌方法において、前記殺菌剤のガスを前記ノズル内で複数の流れに分け、一方の流れを前記プリフォームの前記口部に向かわせ、他方の流れを前記プリフォームの外面へと向かわせると好適である。
【００１６】
また、本発明に係るプリフォームの殺菌方法において、前記殺菌剤を前記プリフォームに吹き付けた後、当該プリフォームにおける前記殺菌剤の吹き付け部にエアを吹き付けると好適である。
【００１７】
また、本発明に係るプリフォームの殺菌方法において、前記エアがホットエアであると好適である。
【００１８】
本発明に係るプリフォームの殺菌装置は、プリフォームの供給からボトルの成形に至るまで、前記プリフォームを走行させる走行手段と、前記プリフォームの口部の開口面に対向する方向から紫外線を含む光を前記プリフォームの少なくとも口部の内外面に照射するランプと、当該走行手段において殺菌剤を前記プリフォームに向かって噴射するノズルとが設けられ、前記ランプの下流に前記ノズルが設けられたことを特徴とする。
【００１９】
また、本発明に係るプリフォームの殺菌装置は、前記紫外線を含む光を照射する前記ランプが、キセノンフラッシュランプであると好適である。
【００２０】
また、本発明に係るプリフォームの殺菌装置は、前記紫外線を含む光を照射する前記ランプの前記プリフォームの反対側に光を反射する反射板を設けてなると好適である。
【００２１】
また、本発明に係るプリフォームの殺菌装置は、前記反射板が前記プリフォームの前記口部を覆うように設けてなると好適である。
【００２２】
また、本発明に係るプリフォームの殺菌装置は、前記ノズルが、前記殺菌剤を噴霧することによってガス化する気化部の先端部に配置されると好適である。
【００２３】
また、本発明に係るプリフォームの殺菌装置は、前記殺菌剤のガスを送る前記ノズルが複数の管路に分けられ、一方の管路の吐出口が前記プリフォームの開口に対峙させられ、他方の管路は前記プリフォームの外面へと伸ばされて、その吐出口が前記プリフォームの外面に対峙させられると好適である。
【００２４】
また、本発明に係るプリフォームの殺菌装置は、エアを前記プリフォームに吹き付けるエアノズルが、前記ノズルに対して、前記走行手段における上流側から下流側に向かって、順に設けられと好適である。
【００２５】
また、本発明に係るプリフォームの殺菌装置は、前記エアノズルが、前記エアを前記プリフォームの開口に向かって吹き出すスリット状の吹出口を有し、当該吹出口が前記プリフォームの走行方向に沿って伸びていると好適である。
【発明の効果】
【００２６】
本発明によれば、プリフォームの少なくとも口部に紫外線を含む光を照射する照射工程と、少なくとも過酸化水素を含んでなる殺菌剤をガス化させ、当該殺菌剤のガスを前記プリフォームに吹き付ける殺菌工程を備えることにより、殺菌剤の吹き付け量を低減し、プリフォームに残留する過酸化水素の量を低減することができる。
【図面の簡単な説明】
【００２７】
【図１】本発明に係るプリフォームの殺菌装置を組み込んだ無菌充填装置の一部であるボトル成形までの概略を示す平面図である。
【図２】本発明の実施の形態に係るプリフォームの殺菌方法を表し、（Ａ）は、プリフォームに対する光照射工程、（Ｂ）は、殺菌剤吹き付け工程、（Ｃ）は、エア吹き付け工程、（Ｄ）は、加熱工程をしめす。
【図３】本発明の実施の形態に係るプリフォームの殺菌方法を表し、（Ｅ）は、プリフォームの成形工程、（Ｆ）は、ボトル取り出し工程、（Ｇ）は、内容物充填工程、（Ｈ）は、密封工程を示す。
【図４】殺菌剤のガスを生成するためのガス生成器の一例を示す垂直断面図である。
【図５】本発明に係るプリフォームの殺菌装置に組み込まれる殺菌剤ガスの吹き付けノズルを示す垂直断面図である。
【図６】本発明に係るプリフォームの殺菌装置に組み込まれるエアノズルを示し、（Ａ）はその平面図、（Ｂ）は垂直断面図である。
【図７】プリフォームにエアを吹き付ける工程の変形例を示す説明図である。
【図８】プリフォームにエアを吹き付ける工程の他の変形例を示す説明図である。
【図９】プリフォームにエアを吹き付ける工程の更に他の変形例を示す説明図である。
【図１０】プリフォームを成形温度まで加熱する工程の変形例を示す説明図である。
【図１１】プリフォームを成形温度まで加熱した後の工程の変形例を示す説明図である。
【発明を実施するための形態】
【００２８】
以下に本発明を実施するための形態について図面を参照して説明する。
【００２９】
最初にプリフォームの殺菌からボトル成形までの工程及び装置を図１、図２及び図３により説明し、その次にプリフォームの殺菌方法及び装置の詳細について説明する。この実施の形態によれば、プリフォームを殺菌することで無菌化プリフォームを得ることができ、プリフォームを成形したボトルに残留する過酸化水素を低減することができる。
【００３０】
（方法及び装置の概要）
図１に示すように、本実施形態に係るプリフォームの殺菌装置を組み込んだ無菌充填装置は、プリフォーム供給装置１１と、該プリフォーム供給装置１１から供給されるプリフォーム１を搬送するプリフォームコンベア１４と、プリフォーム１を加熱する加熱炉２５と、加熱炉２５によって加熱されたプリフォーム１をボトル成形するブロー成形機１２を備える。
【００３１】
（無菌充填装置の工程の概要）
図２（Ａ）に示すように、プリフォーム１は、グリッパ１３に把持され、プリフォームコンベア１４に連続するホイール１５に受け渡され、ホイール１５を走行しながら、紫外線を含む光Ｌが照射される（照射工程）。
【００３２】
さらにプリフォーム１はホイール１５にて、図２（Ｂ）に示すように、殺菌剤噴射ノズル６によりプリフォーム１に殺菌剤のガスＧが吹き付けられる（殺菌工程）。
【００３３】
その後、プリフォーム１はホイール１６に受け渡され、図２（Ｃ）に示すように、エアノズル３７により、エアＰが吹き付けられる。
【００３４】
光Ｌの照射（Ａ）（照射工程）及び殺菌剤のガスＧのプリフォーム１への吹き付け（Ｂ）（殺菌工程）は必須であるが、エアＰの吹き付け（Ｃ）は任意に行って構わない。しかし、いずれの工程も実施されることが望ましい。また、プリフォーム１への殺菌剤のガスＧの吹き付け（Ｂ）、エアＰの吹き付け（Ｃ）はこの順序で行われるが、光照射（Ａ）はどの段階で行ってもかまわない。
【００３５】
すなわち、ホイール１５において、光照射装置３０はノズル６の上流又は下流に設けることもできる。また、ホイール１６においてエア吹き付け（Ｃ）の下流に設けてもかまわない。さらに、光Ｌの照射（Ａ）、殺菌剤ガスＧの吹き付け（Ｂ）、エアＰの吹き付け（Ｃ）を単一のホイールで行っても良いし、各々別個のホイールで行ってもかまわない。
【００３６】
殺菌処理が完了したプリフォーム１は加熱炉搬送ホイール１７から、これまでホイール搬送時に把持されていたグリッパ１３から解放され、加熱炉２５に搬送される。
【００３７】
加熱炉２５に入ったプリフォーム１は、図２（Ｄ）に示すように、赤外線ヒータ１８ａ、又はその他の加熱手段によって、後のブロー成形に適した温度まで加熱される。この温度は９０℃から１３０℃であると好適である。
【００３８】
なお、プリフォーム１の口部２ａの温度は、変形等を防止するため７０℃以下の温度に抑えられる。
【００３９】
また、プリフォーム１は図２（Ｄ）に示すように、口部２ａにスピンドル２９が挿入され、回転しながら、加熱炉２５内を搬送される。スピンドル２９に代えてマンドレルをプリフォーム１に挿入することによって、プリフォーム１を倒立状態で回転させつつ搬送することも可能である。
【００４０】
加熱されたプリフォーム１は、スピンドル２９から解放され、ブロー成形機１２のホイール１９のグリッパ１３により把持され、ホイール２０に備えられた金型４により、図３（Ｅ）に示すように、ボトル２にブロー成形される。金型４及びブローノズル５は、ホイール２０の回りに複数個配置され、ホイール２０の回転とともにホイール２０の周りを一定速度で旋回する。
【００４１】
ボトル２はホイール２１に受け渡され、検査装置２７により外観検査が行われる。検査装置２７は公知の装置であるからその詳細は省略する。
【００４２】
検査されたボトル２はホイール２２により充填部に搬送される。
【００４３】
充填部は無菌化されたチャンバー内にあり、無菌化されたボトル２に無菌化された内容物を図３（Ｇ）に示すように充填ノズル１０により無菌雰囲気で充填し、図３（Ｈ）に示すように充填されたボトル２は、無菌化されたキャップ３により密封される。充填部は公知の装置であるからその詳細は省略する。
【００４４】
（プリフォームの殺菌方法及び装置の詳細）
本実施形態におけるプリフォーム１は試験管状の有底筒状体であり、図３（Ｈ）に示したボトル２と同様な口部２ａがその成形当初に付与される。この口部２ａにはプリフォーム１の成形と同時に雄ネジが形成される。プリフォーム１は射出成形、圧縮成形等によって成形される。プリフォーム１の材質はポリエチレンテレフタレート、ポリエチレンナフタレート、ポリプロピレン、ポリエチレン等の熱可塑性樹脂からなり、これらの樹脂単体又は混合物であっても構わないし、リサイクルされた熱可塑性樹脂を含んでも構わない。また、バリア性を付与するために、エチレンービニルアルコール共重合体、メタキシリレンジアミンのような芳香族アミンをモノマーとするポリアミド等の熱可塑性樹脂を層として、又は混合物として含んでも構わない。
【００４５】
ホイール１５において、図２（Ａ）のようにプリフォーム１に紫外線を含む光Ｌが照射される。（照射工程）。当該工程は複数であってもかまわない。すなわち、プリフォーム１への殺菌剤のガスＧの吹き付け（Ｂ）の前に行い、さらに、エアＰの吹き付け（Ｃ）の後にも行ってもかまわない。
【００４６】
また、照射工程で照射される紫外線は、１００ｎｍ〜３８０ｎｍの波長を有する電磁波の１種である。光Ｌはこの波長のいずれかを含むが、特にＵＶ−Ｃと称せられる１００ｎｍ〜２８０ｎｍの波長が殺菌には効果的である。さらに、もっとも殺菌効果を有するのは２５３．７ｎｍの波長であり、これを含むことが最適である。
【００４７】
１００ｎｍ〜３８０ｎｍの紫外線を発する光照射装置３０は、低圧水銀ランプ、高圧水銀ランプ、キセノンフラッシュランプ等を有するものである。特に、内部にキセノンガスを封入したキセノンフラッシュランプから発する光（波長：１００〜９５０ｎｍ）の殺菌効果が高いため、当該ランプを有する光照射装置３０であることが最適である。
【００４８】
光による殺菌効果は光の単位面積当たりの照射量と照射時間に比例する。しかし、キセノンフラッシュランプによる光は低圧水銀ランプや高圧水銀ランプにより発する光に比べ、殺菌効果が高いことから、短時間の照射で十分に殺菌を行うことができ、光の照射によるプリフォーム１の口部の温度上昇を避けることができる。
【００４９】
なお、ランプは複数個設けても構わない。また、その形状は丸型、棒状、Ｕ字形など、どのようなものでも構わない。
【００５０】
図２（Ａ）に示す反射板３１は、ランプ３０ａから発する光Ｌを効率的にプリフォーム１に照射する目的がある。したがって、ランプ３０ａのプリフォーム１に対して反対側に設けられる。反射板３１は平面でも、曲面でもいずれの形状の複数の面の組み合わせでも構わない。反射板は光Ｌを反射することができればどのようなものも構わない。例えば、合成樹脂、金属、ガラスからなり、その表面を平滑にしたものであったり、さらに平滑にするために、コーティング、金属などのメッキ、金属や金属酸化物などの蒸着加工を行ったり、これらを組み合わせたものであってもかまわない。特にガラスからなる鏡であって、光が口部に集中するように曲面としたものが好ましい。
【００５１】
図２（Ａ）に示すように、光Ｌの照射は少なくともプリフォーム１の口部２ａに行われれば、さらにプリフォーム１のいずれの箇所に対して行ってもかまわない。光Ｌの照射により、照射された箇所の殺菌が促進される。
【００５２】
またプリフォーム１への光の照射は、ランプの延設方向と並行してプリフォームを走行させて当該プリフォームに光を照射させても良いが、ランプをプリフォーム内に挿入して照射しても良い。プリフォーム１への光の照射は、口部の殺菌が主目的なため、ランプの挿入距離は、グリッパ１３と同じ水平位置まで挿入しても良いし、底部まで挿入しても良い。ランプの挿入距離を短くすることで、装置が高速化しても装置をコンパクトにすることができるというメリットがある。この場合、ランプ３０ａを複数個備えたホイールにより連続してプリフォーム１にランプ３０ａを挿入して、光Ｌを照射すると好適である。
【００５３】
しかし、口部２ａは加熱により変形すると、図３（Ｈ）に示すような飲料を充填した製品の無菌性が損なわれるために、従来では、エアＰをホットエアとした場合に外面への吹き付け量を少なくしたり、ブロー成形のための加熱炉２５での加熱温度を下げることで口部２ａの変形を防止している。そのために口部２ａの殺菌が不十分となる場合があり、これを防止するために、従来では、過度に殺菌剤を吹き付けて口部２ａの殺菌を行っていた。そこで、本実施形態に係るプリフォーム殺菌装置は、光照射装置３０に反射板３１を備えることで、光Ｌの照射を口部２ａに集中させ、口部２ａの殺菌を効果的に行うことができ、さらに殺菌剤の吹き付け量を低減しても、口部２ａの殺菌不良を防止している。
【００５４】
この場合、図２（Ａ）の光照射装置３０のように、ランプ３０ａを口部２ａの上部に設置し、当該ランプ３０ａを囲むように反射板３１を設けることが特に好適である。このような装置とすることで、口部２ａの内外面に、光Ｌを効率的に照射することができる。
【００５５】
殺菌剤は少なくとも過酸化水素を含んでいる。その含有量は０．５質量％〜６５質量％の範囲が適当である。０．５質量％未満では殺菌力が不足する場合があり、６５質量％を超えると安全上、扱いが困難となる。また、さらに好適なのは０．５質量％〜４０質量％であり、４０質量％以下では扱いがより容易であり、低濃度となるために殺菌後の殺菌剤の残留量を低減できる。
【００５６】
また、殺菌剤は水を含んでなるが、メチルアルコール、エチルアルコール、イソプロピルアルコール、ノルマルプロピルアルコール、ブチルアルコールなどのアルコール類、アセトン、メチルエチルケトン、アセチルアセトンなどのケトン類、グリコールエーテル等の１種又は２種以上を含んでもかまわない。
【００５７】
さらに、殺菌剤は過酢酸、酢酸、塩素化合物、オゾン等殺菌効果を有する化合物、陽イオン界面活性剤、非イオン系界面活性剤、リン酸化合物等の添加剤を含んでも構わない。
【００５８】
殺菌剤は、図４に示すように、殺菌剤ガス生成器７によりガス化される。殺菌剤ガス生成器７は、殺菌剤を滴状にして供給する二流体スプレーノズルである殺菌剤供給部８と、この殺菌剤供給部８から供給された殺菌剤を過酸化水素の分解温度以下に加熱して気化させる気化部９とを備える。殺菌剤供給部８は、殺菌剤供給路８ａ及び圧縮空気供給路８ｂからそれぞれ殺菌剤と圧縮空気を導入して殺菌剤を気化部９内に噴霧するようになっている。気化部９は内外壁間にヒータ９ａを挟み込んだパイプであり、このパイプ内に吹き込まれた殺菌剤を加熱し気化させる。気化した殺菌剤のガスは殺菌剤噴射ノズル６から気化部９外に噴出する。ヒータ９ａに換えて誘電加熱により気化部９を加熱しても構わない。
【００５９】
殺菌剤供給部８の運転条件としては、例えば圧縮空気の圧力は０．０５ＭＰａ〜０．６ＭＰａの範囲で調整される。また、殺菌剤は重力落下であっても圧力を加えてもかまわなし、供給量は自由に設定することができ、例えば１ｇ／ｍｉｎ．〜１００ｇ／ｍｉｎ．の範囲で供給する。また、気化部９の内表面は１４０℃から４５０℃に加熱されることで噴霧された殺菌剤が気化する。
【００６０】
噴出する殺菌剤のガスＧは、図２（Ｂ）に示すように殺菌剤ガスＧの噴射ノズル６からプリフォーム１に吹き付けられる（殺菌工程）。
【００６１】
殺菌剤のガスＧの吹き付け量は任意であるが、吹き付け量は、殺菌剤ガス生成器の供給される殺菌剤の量と吹き付け時間により決まる。殺菌剤ガス生成器は複数備えても構わない。吹き付け量はプリフォームの大きさによっても変動するが、過酸化水素の量として
１×１０-3ｇ／ｍｍ2〜１ｇ／ｍｍ2の範囲が適当である。１×１０-3ｇ／ｍｍ2未満では殺菌が不十分となり、１ｇ／ｍｍ2を超えるとプリフォーム１への過酸化水素の残留が多くなる。
【００６２】
殺菌剤のガスＧは殺菌剤噴射ノズル６からプリフォーム１に向かって吹き付けられるが、図５に示すように、殺菌剤のガスＧは、殺菌剤噴射ノズル６内で二手に分かれて流れ、その一方が管路６ａからプリフォーム１の内部に向かって吹き付けられ、他方がプリフォーム１の外面に向かって管路６ｂに設けられた噴射口２４から吹き付けられてもかまわない。殺菌剤のガスＧは、殺菌剤噴射ノズル６から出た後、ガス状態のままで若しくはガスＧが凝結したミストとなって又はそれらの混合物となって、プリフォーム１の内部に流入し、あるいはプリフォーム１の外面に吹き付けられる。
【００６３】
なお、殺菌剤噴射ノズル６、管路６ａ，６ｂには、これらの途中から、無菌エアであるホットエアを供給することにより、管路６ａ、６ｂでの過酸化水素水の結露を防止するようにしてもよい。また、電気リボンヒータを管路６ａ，６ｂ等に巻きつけて結露を防止してもよい。
【００６４】
また、プリフォーム１の内部に向かって噴出する殺菌剤のガスＧの流れの回りは、傘状部材２３で覆われる。プリフォーム１内に流入した殺菌剤のガスＧやミストはプリフォーム１の口部２ａから溢れ出るが、この溢れ出た殺菌剤のガスＧ等の流れは傘状部材２３に衝突し、傘状部材２３の内面に設けられた環状溝２３ａに案内されて、プリフォーム１の外面へと向かって流れを変え、プリフォーム１の外面に吹き付けられようにしても構わない。
【００６５】
このように殺菌剤のガスＧ、ミスト又はこれらの混合物がプリフォーム１の内外面に吹き付けられることにより、プリフォーム１の表面に付着した微生物が殺菌され、あるいは傷付けられる。
【００６６】
なお、図２（Ｂ）に示したプリフォーム１への殺菌剤のガスＧの吹き付けの直前に、プリフォーム１に熱風を吹き付ける等してプリフォームを予備加熱してもよい。この予備加熱によりプリフォームの殺菌効果をさらに高めることができる。
【００６７】
また、殺菌剤噴射ノズル６は一個のみならず、複数個をプリフォーム１の走行路に沿って配置し、これら殺菌剤噴射ノズル６から殺菌剤のガスをプリフォーム１に向かって吹き付けるようにしてもよい。
【００６８】
殺菌剤が吹き付けられたれたプリフォーム１は、図２（Ｃ）に示すように、グリッパ１３により把持され、搬送されつつエアノズル３７によってエアＰが吹き付けられてもかまわない。
【００６９】
エアＰの吹き付けにより、プリフォーム１の表面に付着した過酸化水素が活性化され、プリフォーム１内外面の微生物が殺菌される。また、エアＰの吹き付けによってプリフォーム１に付着した殺菌剤はプリフォーム１の表面から速やかに除去される。プリフォーム１に付着した殺菌剤は、加熱炉２５内に入る以前にエアＰの吹き付けによりプリフォーム１から除去されているため、過酸化水素によるブロー成形機１２内のシール部材等各種機器の損傷は防止される。また、プリフォーム１の殺菌剤の付着に起因するボトルの白化、歪、成形ムラ等成形不良の発生が防止される。
【００７０】
エアＰは常温でも構わないが、加熱されてホットエアとすることで、過酸化水素の分解が促進され、殺菌効果が高まり、過酸化水素の残留も低減する。エアの加熱はプリフォームに吹き付けられる温度が４０℃から１４０℃とすることが望ましい。４０℃未満では加熱による効果が少なく、プリフォーム１の温度が７０℃を超えるとプリフォーム１の口部２ａの変形などの不都合を生じるため、ホットエアの温度は１４０℃を超えないことが好適である。
【００７１】
図２（Ｃ）に示すように、エアＰはエアノズル３７の主体をなす箱状のマニホルド３７ｂに形成したスリット状の吹出口３７ａから吹き出すようになっている。
【００７２】
さらに、図６（Ａ）に示すように、エアノズル３７は、ホイール１６の円弧に倣って湾曲する箱状のマニホルド３７ｂを有し、このマニホルド３７ｂの底面にスリット状の吹出口３７ａを有する。エアノズル３７は、吹出口３７ａがホイール１６におけるプリフォーム１の走行路に沿って伸びるようにホイール１６に配置される。また、図６（Ｂ）に示すように、マニホルド３７ｂには、ブロア３２と、ＨＥＰＡフィルタ３３と、電熱器３４とが連結される。ブロア３２から取り込まれた外気がＨＥＰＡフィルタ３３により除菌され、電熱器３４により加熱され、ホットエアＰとなってエアノズル３７内に送られる。
【００７３】
エアノズル３７に供給するエアは、ブロア３２からのエアではなく、より推進力の高い圧縮空気を除菌フィルタで無菌化したものであっても良い。また、ブロー成形機１２内でブロー成形に使用する高圧エアを回収し、リユースしても良い。
【００７４】
図６（Ｂ）に示すように、エアノズル３７のマニホルド３７ｂ内に供給されたエアＰは、吹出口３７ａから噴き出し、吹出口３７ａの下を、口部２ａを上に向けて走行するプリフォーム１に吹き付けられ、その一部がプリフォーム１の内部に流入し、他部がプリフォーム１の外面に沿って流れる。
【００７５】
図７に示すように、筒状の吹出ノズル３８から無菌化されたエアＰをプリフォーム１に向かって吹き付けるようにしてもよい。また、吹出ノズル３８の近傍に吸引管３９を配置し、吹出ノズル３８からエアＰをプリフォーム１内に吹き込んだ際にプリフォーム１外に排出される塵埃等の異物を吸引管３９で吸引するようにしてもよい。このように吸引管３９で異物を回収することで、他のプリフォームや後に成形されるボトル内に異物が混入するのを防止することができる。
【００７６】
また、図８に示すように、吹出ノズル３８を上向きに配置し、プリフォーム１を倒立状態とし、吹出ノズル３８から下向きになったプリフォーム１の口部２ａ内に無菌化されたエアＰを吹き込むようにしてもよい。これにより、プリフォーム１内の異物は吹出ノズル３８から吹き込まれるエアの風圧によるほか、異物の自重によりプリフォーム１外に落下することになる。
【００７７】
また、エアＰの供給は、図９に示すエアノズル４０により行ってもよい。このエアノズル４０は図５に示した殺菌剤噴射ノズル６と同様な構成を有する。図９中、複数の管路４０ａ、４０ｂは、エアＰを送るための分岐した複数の管路を示す。複数の管路４０ａ，４０ｂのうち、一つの管路４０ａの吹出口がプリフォーム１の口部２ａの開口に対峙させられる。エアＰは管路４０ａの吹出口からプリフォーム１に向かって吹き出し、プリフォーム１内部に流入する。これにより、プリフォーム１の内面に付着した過酸化水素が活性化され、余剰の過酸化水素が除去される。
【００７８】
傘状部材４１は、管路４０ａの吹出口の回りを覆う部材である。傘状部材４１の下面には、略半円形断面の環状溝４１ａが形成される。管路４０ａの吹出口からプリフォーム１内に入ったエアＰは、プリフォーム１内に充満した後、プリフォーム１の口部２ａから溢れ出るが、この溢れ出たエアＰは、傘状部材４１の下面と環状溝４１ａとによってプリフォーム１の外面へと案内され、プリフォーム１の外面に沿って流れる。これにより、管路４０ａから出たエアＰはプリフォーム１の外面にも吹き付けられる。
【００７９】
また、他の管路４０ｂがプリフォーム１の外面に倣うように略Ｕ字状に伸ばされ、その吹出口４２がプリフォーム１の外面に対峙させられる。エアＰは、エアノズル４０の他の管路４０ｂの吹出口４２からもプリフォーム１の外面に向かって吹き出し、プリフォーム１の外面に接触する。これにより、管路４０ａからのエアＰとプリフォーム１の口部２ａから溢れ出たエアＰとが合わさって、プリフォーム１の外面に付着した過酸化水素が活性化され、余剰の過酸化水素が除去される。
【００８０】
次にプリフォーム１は加熱炉搬送ホイール１７により、加熱炉２５に搬送され、図２（Ｄ）に示すように、プリフォーム１は、赤外線ヒータ１８ａやその他の加熱手段によって、後のブロー成形に適した温度まで加熱される。図２（Ｄ）に示すように、スピンドル２９がプリフォーム１の口部２ａに挿入されることによって、正立状態（又は倒立状態）で吊下げられた状態でスピンドル２９と共に回転しつつ、無端チェーン１８により加熱炉２５に入る。無端チェーン１８にはスピンドル２９が一定間隔に取り付けられ、スピンドル２９は回転可能で、無端チェーンはプーリ２６ａ及び２６ｂにより回転する。この加熱により、プリフォーム１に残留した過酸化水素が分解し、さらに殺菌が促進されることもある。また、このことにより過酸化水素の残留が低減されることもある。
【００８１】
図１０に示すように、プリフォーム１は、その口部２ａ内にスピンドル２９の下部が挿入される際に、弾性体２９ｂの弾性変形によってスピンドル２９に支持される。そして、傘状部材２９ａが設けられた場合は、同時にプリフォーム１の口部２ａが傘状部材２９ａにより覆われる。
【００８２】
この場合は、プリフォーム１の口部２ａの内面とスピンドル２９の下部との間からプリフォーム１の口部２ａの外面と傘状部材２９ａとの間にかけて、隙間が形成されることから、赤外線ヒータ１８ａからの熱によって加熱されたプリフォーム１内のエアはホットエアとなって上記隙間をプリフォーム１内からプリフォーム１外へと流れ、その間にプリフォーム１の口部２ａを加熱する。
【００８３】
上記隙間を流れるホットエアは、口部２ａを加熱するが、口部２ａが変形しない７０℃程度以下の温度までしか加熱されない。口部２ａの加熱により、口部２ａに残留した微量の過酸化水素が活性化され、口部２ａが適度に殺菌されこともある。
【００８４】
また、図１１に示すように、加熱されたプリフォーム１は、スピンドル２９から解放され、グリッパ１３に受け渡され、口部２ａ側から無菌エアＱを吹き付けられつつ、図３（Ｅ）に示すブロー成形型である金型４へと搬送されることもある。この無菌エアＱの吹き付けにより、プリフォーム１は無菌性を維持しつつ金型４に供給される。
【００８５】
上記無菌エアＱはホットエアであってもよい。ホットエアの吹き付けにより、プリフォーム１の温度低下が防止される。
【００８６】
また、図１１に示すように、プリフォーム１の加熱が終わってプリフォーム１が金型４へと向かう箇所には、プリフォーム１の走行路を囲むように覆い４３がトンネル状に設けられることもある。このトンネル状の覆い４３におけるプリフォーム１の口部２ａをその上方から覆う天井部分は、傾斜面を有する屋根状に形成される。また、天井部分には、無菌エアＱをプリフォーム１の口部２ａの方に向かって吹き出すノズル４３ａが、パイプの列状に又はスリット状に設けられる。これにより、無菌エアＱがプリフォーム１へと効率的に供給され、プリフォーム１はチャンバー２８ｂ内にあって無菌性を保持しつつ走行する。成形機が無菌化されたチャンバー内に設けられた場合、トンネル状の覆い４３は不要になる。
【００８７】
加熱されたプリフォーム１は、図３（Ｅ）に示すように、金型４内でボトル２にブロー成形される。ブロー成形型である金型４は、プリフォーム１の走行速度と同じ速度で連続的に走行しつつ、型締め状態とされ、金型４内でプリフォーム１に対するブロー成形が行われた後に型開き状態とされる。プリフォーム１が金型４内に装着され、ブローノズル５の中心孔から延伸ロッド（図示せず）がプリフォーム１内に挿入されると同時に、ブローエアがプリフォーム１の内側に吹きこまれる。当該ブローエアは除菌フィルタなどにより菌が除去された無菌エアでなければならない。延伸ロッドとブローエアによりプリフォーム１は金型４の形状に膨張し、ボトル２となる。ボトル２はグリッパ１３に把持され、ホイール２１により検査装置２７に搬送される。
【００８８】
検査装置２７は、図示しないが、例えば成形されたボトル２の口部２ａの天面が平滑か否かを検査する光源及びカメラを具備したものとすることができる。
【００８９】
検査されたボトル２は、不合格の場合は図示しない排斥装置によって搬送路から排除され、合格品のみがホイール２２へと搬送される。
【００９０】
検査に合格したボトル２はホイール２２により充填装置に搬送される。
【００９１】
図１に示すように、ホイール１５，１６の回りは、チャンバー２８ａで囲まれている。このチャンバー２８ａには、チャンバー２８ａ内のエアを濾過するフィルタ３６と、ブロア３５とからなる排気手段が連結される。これにより、殺菌剤噴射ノズル６から噴射された殺菌剤の余剰分は、この排気手段のフィルタ３６により除去され、チャンバー２８ａ外に排出される。したがって、殺菌剤の過酸化水素が隣接する加熱炉２５やブロー成形機１２内へ流入しないようにすることができる。チャンバー２８ａ内の圧力は大気圧よりも低い陰圧になるように、チャンバー２８ａ内に対する給排気の量を調整することが望ましい。
【００９２】
また、図１に示すように、加熱炉２５及びブロー成形機１２はチャンバー２８ｂで囲まれている。チャンバー２８ｂはブロアによる送風エアをＨＥＰＡフィルタなどを通すことにより無菌化したエアを給気することにより、チャンバー２８ｂ内を陽圧になるように調整することが望ましい。
【００９３】
また、図１に示すように、ホイール２２はチャンバー２８ｃにより囲まれている。チャンバー２８ｃも無菌エアを給気することが望ましく、次工程である内容物の充填を行う充填装置の無菌エア給気圧力とチャンバー２８ｂの圧力との間に調整することが望ましい。
【００９４】
チャンバー２８ｂ及び２８ｃを無菌エアの給気により陽圧に維持することにより、稼働前に行うチャンバー内の無菌化操作による無菌状態を維持して外部からの菌の流入を防止することができる。稼働前に行う無菌化操作とは、例えば、１０ｍｇ／Ｌ以下の過酸化水素ガスでチャンバー２８ａ、２８ｂ、２８ｃ内をガス殺菌しても良い。また、プリフォーム１やボトル２が接触する部位に紫外線を含む光を照射しても良い。或いは、金型４やブローノズル５、グリッパ１３など、資材が接触する箇所をエタノールや過酸化水素を１質量％含有している薬剤を噴霧しても良い。
【００９５】
本発明は以上説明したように構成されるが、上記実施の形態に限定されるものではなく、本発明の要旨内において種々変更可能である。
【符号の説明】
【００９６】
１…プリフォーム
２…ボトル
６…殺菌剤噴射ノズル
６ａ，６ｂ…管路
９…気化部
２３…傘状部材
２４…噴射口
３７…エアノズル
３７ａ…吹出口
Ｇ…ガス
Ｐ…エア
Ｌ…光
【図１】
0006330857.tif 000002
【図２】
0006330857.tif 000003
【図３】
0006330857.tif 000004
【図４】
0006330857.tif 000005
【図５】
0006330857.tif 000006
【図６】
0006330857.tif 000007
【図７】
0006330857.tif 000008
【図８】
0006330857.tif 000009
【図９】
0006330857.tif 000010
【図１０】
0006330857.tif 000011
【図１１】
0006330857.tif 000012